(57)【要約】【課題】たとえレンズカバー内に結露が生じたとしてもカメラによる撮像に悪影響を及ぼさないインターホン機器を提供する。【解決手段】レンズカバー９における下端部で、カメラにより撮像される映像に映り込まない位置に、前後方向での厚みがレンズカバー９の他の箇所よりも薄肉とされた凹部１３を設けた。そのため、たとえ結露が発生したとしても、その箇所は凹部１３内に限定されることになる上、凹部１３よりも上方へ、すなわちカメラに映り込む側へ結露は拡がらない。したがって、発生した結露がカメラによる撮像に悪影響を及ぼすことがなく、つねに好適な映像を撮像することができる上、ひいては、従来では結露による悪影響を防げなかった設置環境であっても、好適に設置することができる。【選択図】図６
2017011535.tif 000002
【特許請求の範囲】
【請求項１】
本体ケースの内部にカメラが内蔵されているとともに、前記カメラのレンズが前記本体ケースの前面側に露出しており、さらに前記レンズの前方をレンズカバーが覆っているインターホン機器であって、
前記レンズカバーにおける前記レンズよりも下部で、前記カメラにより撮像する映像に映り込まない位置に、前後方向での厚みが他の箇所よりも薄い薄肉部を設けたことを特徴とするインターホン機器。
【請求項２】
前記レンズカバーの内面に、前側へ凹む凹部を設け、当該凹部を前記薄肉部としたことを特徴とする請求項１に記載のインターホン機器。
【発明の詳細な説明】
【技術分野】
【０００１】
本発明は、たとえば来訪者等を撮像するためのカメラを備えたインターホン機器に関するものである。
【背景技術】
【０００２】
従来、たとえば玄関等に設置されるインターホン子機といったインターホン機器には、来訪者を撮像する等のためのカメラが備えられている（たとえば特許文献１）。このカメラは、インターホン機器の本体ケースからレンズを露出させるようにして設置されており、レンズの前側は、本体ケースに取り付けられるレンズカバーで覆われている。
【先行技術文献】
【特許文献】
【０００３】
【特許文献１】特開２０１２−１７５６６０号公報
【発明の概要】
【発明が解決しようとする課題】
【０００４】
カメラのレンズをレンズカバーで覆っていると、レンズカバー内における結露発生が問題となる。すなわち、レンズカバー内に結露が生じることで、映像がぼやける等といったようにカメラによる撮像に悪い影響を及ぼしていた。そこで、従来では、カメラを支持するカメラホルダーと本体ケースとの間の密封性を上げることにより、レンズカバー内における結露発生の防止を図っていた。しかしながら、どれだけレンズカバー内の気密性を上げたところで、たとえば夏場を想定し、本体ケース側を高温とした状態でレンズカバーに水を吹き付けてみると、どうしてもレンズカバー内に結露が生じてしまう。
【０００５】
そこで、本発明は、上記問題に鑑みなされたものであって、たとえレンズカバー内に結露が生じたとしてもカメラによる撮像に悪影響を及ぼさないインターホン機器を提供しようとするものである。
【課題を解決するための手段】
【０００６】
上記目的を達成するために、本発明のうち請求項１に記載の発明は、本体ケースの内部にカメラが内蔵されているとともに、カメラのレンズが本体ケースの前面側に露出しており、さらにレンズの前方をレンズカバーが覆っているインターホン機器であって、レンズカバーにおけるレンズよりも下部で、カメラにより撮像する映像に映り込まない位置に、前後方向での厚みが他の箇所よりも薄い薄肉部を設けたことを特徴とする。
請求項１に記載の構成によれば、レンズカバーにおけるレンズよりも下部で、カメラにより撮像する映像に映り込まない位置に、前後方向での厚みが他の箇所よりも薄い薄肉部を設けている。そのため、たとえ結露が発生したとしても、その箇所は薄肉部上に限定されることになる上、薄肉部よりも上方へ、すなわちカメラに映り込む側へ結露は拡がりにくい。したがって、発生した結露がカメラによる撮像に悪影響を及ぼすことがなく、つねに好適な映像を撮像することができる上、ひいては、従来では結露による悪影響を防げなかった設置環境であっても、好適に設置することができる。
【０００７】
請求項２に記載の発明は、請求項１に記載の発明において、レンズカバーの内面に、前側へ凹む凹部を設け、当該凹部を薄肉部としたことを特徴とする。
請求項２に記載の発明によれば、レンズカバーの内面に、前側へ凹む凹部を設け、当該凹部を薄肉部としているため、レンズカバーの前面側に段差等が形成されない。したがって、インターホン機器の外観を損ねない。
【発明の効果】
【０００８】
本発明によれば、レンズカバーにおけるレンズよりも下部で、カメラにより撮像する映像に映り込まない位置に、前後方向での厚みが他の箇所よりも薄い薄肉部を設けている。そのため、たとえ結露が発生したとしても、その箇所は薄肉部上に限定されることになる上、薄肉部よりも上方へ、すなわちカメラに映り込む側へ結露は拡がりにくい。したがって、発生した結露がカメラによる撮像に悪影響を及ぼすことがなく、つねに好適な映像を撮像することができる上、ひいては、従来では結露による悪影響を防げなかった設置環境であっても、好適に設置することができる。
【図面の簡単な説明】
【０００９】
【図１】インターホン子機を前側から示した斜視説明図である。
【図２】インターホン子機を後側から示した斜視説明図である。
【図３】レンズカバーを前側から示した斜視説明図である。
【図４】レンズカバーを後側から示した斜視説明図である。
【図５】レンズカバーの左右方向での中央部における断面を示した説明図である。
【図６】インターホン子機のレンズカバー部分における断面を示した説明図である。
【発明を実施するための形態】
【００１０】
以下、本発明の一実施形態となるインターホン子機について、図面にもとづき詳細に説明する。
【００１１】
図１は、インターホン子機１を前側から示した斜視説明図である。図２は、インターホン子機１を後側から示した斜視説明図である。図３は、レンズカバー９を前側から示した斜視説明図である。図４は、レンズカバー９を後側から示した斜視説明図である。図５は、レンズカバー９の左右方向での中央部における断面を示した説明図である。図６は、インターホン子機１のレンズカバー９部分における断面を示した説明図である。
【００１２】
インターホン子機１は、前側に配置される前ケース２と、後側に配置される後ケース３とで構成される本体ケースを有している。この本体ケースの前面上部には、カメラ窓４（図６に示す）が開設されており、該カメラ窓４内にレンズ５（図６に示す）が露出するように、カメラが本体ケース内に設置されている。また、レンズ５の周囲等といった本体ケースの前面の一部を覆うように化粧カバー１０が取り付けられている。そして、化粧カバー１０には、レンズ５を前側に露出させるためのレンズ用開口１５が設けられており、該レンズ用開口１５には、レンズ５の前方を覆うためのレンズカバー９が取り付けられている。さらに、カメラ窓４の右側には、通話のためのマイク部６が設けられている。加えて、カメラ窓４の下側には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラを作動させて来訪者を撮像する。なお、カメラにより撮像された映像は、インターホン親機に備えられているモニタに表示される。
【００１３】
ここで、本発明の要部となるレンズカバー９について説明する。
レンズカバー９は、後側に開口する箱状で、前方へ膨出する膨出部１１と、膨出部１１の後端縁から上下左右の外方へ突出する鍔状のフランジ部１２とを一体的に備えてなる合成樹脂製部材である。膨出部１１は、正面視が上下方向に長い長方形状に形成されており、前面部の表面は左右方向に湾曲した湾曲面１１ａとして形成されている。また、膨出部１１の前面部の裏面（内面）において、その下端部（特に、化粧カバー１０への取付状態においてレンズ５よりも下側となる位置）で、カメラにより撮像される映像に映り込まない箇所は、膨出部１１におけるその他の箇所よりも前側に凹んだ凹部１３として形成されており、凹部１３における前後方向での厚み（ここでは１．０ｍｍ）は、膨出部１１のその他の箇所における前後方向での厚み（ここでは、２．０ｍｍ）と比べて薄肉となっている。なお、１４は、自身の取付位置を位置決めするための位置決め突起であって、フランジ部１２の前面に設けられている。
【００１４】
そして、上記レンズカバー９は、凹部１３が設けられている側を下とした姿勢で、膨出部１１をレンズ用開口１５から前方へ突出させた状態で、フランジ部１２を、化粧カバー１０のレンズ用開口１５の周縁内面と本体ケースのカメラ窓４周縁表面とで挟み込むようにして取り付けられる。また、本体ケース内に設置されるカメラは、そのレンズ５を膨出部１１の内部空間に位置させている。なお、レンズ５は、周面に所定の曲率の球面が設けられたカメラホルダー１７に保持されている一方、カメラ窓４から内側へむかって、内面にカメラホルダー１７の周面が当接可能な球面部が形成された筒状の保持壁１６が設けられており、カメラホルダー１７は、自身の周面と保持壁１６の内面とを密着させた状態で保持されている。
【００１５】
上述したようなレンズカバー９を取り付けたインターホン子機１において、たとえば夏場等に本体ケース内の温度が上昇した状態で雨が降った場合を想定する。すると、レンズカバー９の温度が急激に下がって、レンズカバー９内に結露が生じることになるが、その際、薄肉であるために最も早く温度が下がる凹部１３内に結露は集中することになる。また、凹部１３がレンズカバー９の下端部に設けられているため、生じた結露が凹部１３よりも上方へ拡がりにくい。そして、凹部１３は、カメラに映り込まない箇所に設けられていることを考えると、たとえ凹部１３内に結露が生じたとしても、その結露はカメラによる撮像に悪影響を及ぼさないことになる。
【００１６】
以上のような構成を有するインターホン子機１によれば、レンズカバー９における下端部で、カメラにより撮像される映像に映り込まない位置に、前後方向での厚みがレンズカバー９の他の箇所よりも薄肉とされた凹部１３を設けている。そのため、たとえ結露が発生したとしても、その箇所は凹部１３内に限定されることになる上、凹部１３よりも上方へ、すなわちカメラに映り込む側へ結露は拡がらない。したがって、発生した結露がカメラによる撮像に悪影響を及ぼすことがなく、つねに好適な映像を撮像することができる上、ひいては、従来では結露による悪影響を防げなかった設置環境であっても、好適に設置することができる。
また、レンズカバー９の内面側に凹部１３を設けているため、レンズカバー９の表面（前面）側に段差等が形成されない。したがって、インターホン子機１の外観を損ねない。
【００１７】
なお、本発明に係るインターホン機器は、上記実施形態の態様に何ら限定されるものではなく、インターホン機器の全体的な構成は勿論、レンズカバー等に係る構成についても、本発明の趣旨を逸脱しない範囲で、必要に応じて適宜変更することができる。
【００１８】
たとえば、上記実施形態では、レンズカバー９の下端部に凹部１３を設けているが、レンズ５よりも下側で、カメラにより撮像された映像に映り込まない位置であれば、下端部でなくともよく、凹部１３の下方に再び肉厚となる部位が設けられていても何ら問題はない。なお、レンズカバー９の形状は勿論、薄肉部の形状や大きさ等については言うまでもなく設計変更可能であり、たとえば正面視円状のレンズカバーとしてもよいし、薄肉部を円弧状に形成しても何ら問題はない。
また、上記実施形態では、レンズカバー９の内面を前側に凹ませて薄肉部を設けているが、レンズカバー９の表面を後側へ凹ませて薄肉部を設けることも可能である。ただ、結露による悪影響の防止という点においては、レンズカバー９の内面を凹ませて形成した凹部１３を薄肉部とする構成が最適である。
【００１９】
さらに、レンズカバー９の本体ケース側への取り付けに係る構成については適宜設計変更可能であり、たとえばレンズカバー９を本体ケースに固定し、化粧カバー１０でレンズカバー９の一部（本実施形態におけるフランジ部１２）を覆わないとしても何ら問題はない。
加えて、上記実施形態では、インターホン機器の一例であるインターホン子機について説明しているが、カメラのレンズをレンズカバーで覆うものであれば、集合玄関機等の他のインターホン機器であっても何ら問題はない。
【符号の説明】
【００２０】
１・・インターホン子機（インターホン機器）、２・・前ケース（本体ケース）、３・・後ケース（本体ケース）、４・・カメラ窓、５・・レンズ、９・・レンズカバー、１０・・化粧カバー、１１・・膨出部、１２・・フランジ部、１３・・凹部（薄肉部）、１５・・レンズ用開口。
【図１】
2017011535.tif 000003
【図２】
2017011535.tif 000004
【図３】
2017011535.tif 000005
【図４】
2017011535.tif 000006
【図５】
2017011535.tif 000007
【図６】
2017011535.tif 000008